【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
プリンタと有線インターフェースを介して接続される情報処理装置であって、
プリンタにアクセスポイントをサーチさせるためのサーチコマンドを有線インターフェースを介してプリンタに送信する第１送信手段と、
情報処理装置が接続しているアクセスポイントに関する情報を取得する取得手段と、
有線インターフェースを介してプリンタから受信したプリンタがサーチコマンドに基づきサーチしたアクセスポイントの情報と前記取得手段により取得したアクセスポイントに関する情報とに基づき、情報処理装置が現在接続しているアクセスポイントと一致するプリンタがアクセス可能なアクセスポイントが存在するか判定する判定手段と、
前記判定手段によりアクセスポイントが存在すると判定された場合、プリンタから受信したプリンタがサーチコマンドに基づきサーチしたアクセスポイントの情報に基づき、アクセスポイントにプリンタを接続させるための設定コマンドを有線インターフェースを介してプリンタに送信する第２送信手段と、
無線ネットワークを用いてサーチされたプリンタから、有線インターフェースで情報処理装置と接続中のプリンタと一致するプリンタを特定し、特定されたプリンタを無線ネットワークで利用可能とするためのネットワーク情報の設定を行う設定手段とを有することを特徴とする情報処理装置。
【請求項２】
プリンタと有線インターフェースを介して接続される情報処理装置であって、
プリンタにアクセスポイントをサーチさせるためのサーチコマンドを有線インターフェースを介してプリンタに送信する第１送信手段と、
情報処理装置が接続しているアクセスポイントに関する情報を取得する取得手段と、
有線インターフェースを介してプリンタから受信したプリンタがサーチコマンドに基づきサーチしたアクセスポイントの情報と前記取得手段により取得したアクセスポイントに関する情報とに基づき、情報処理装置が現在接続しているアクセスポイントと一致するプリンタがアクセス可能なアクセスポイントが存在するか判定する判定手段と、
前記判定手段により存在すると判定された場合、プリンタから受信したプリンタがサーチコマンドに基づきサーチしたアクセスポイントの情報に基づき、アクセスポイントにプリンタを接続させるための設定コマンドを有線インターフェースを介してプリンタに送信する第２送信手段とを有することを特徴とする情報処理装置。
【請求項３】
前記第２送信手段は、前記判定手段によりアクセスポイントが存在すると判定された場合、ユーザにアクセスポイントを選択させた後、選択されたアクセスポイントにプリンタを接続させるための設定コマンドを有線インターフェースを介してプリンタに送信することを特徴とする請求項１または２記載の情報処理装置。
【請求項４】
前記第２送信手段は、前記判定手段によりアクセスポイントが存在すると判定され、暗号キーを入力する必要がある場合、ユーザに暗号キーを入力させた後、アクセスポイントにプリンタを接続させるための設定コマンドを有線インターフェースを介してプリンタに送信することを特徴とする請求項１または２記載の情報処理装置。
【請求項５】
無線ネットワークのプリンタアイコンのみ作成するか、無線ネットワークと有線インターフェースのプリンタアイコンを作成するかを選択する選択手段をさらに有することを特徴とする請求項１または２記載の情報処理装置。
【請求項６】
プリンタと有線インターフェースを介して接続される情報処理装置における設定方法であって、
プリンタにアクセスポイントをサーチさせるためのサーチコマンドを有線インターフェースを介してプリンタに送信する第１送信ステップと、
情報処理装置が接続しているアクセスポイントに関する情報を取得する取得ステップと、
有線インターフェースを介してプリンタから受信したプリンタがサーチコマンドに基づきサーチしたアクセスポイントの情報と前記取得ステップにより取得したアクセスポイントに関する情報とに基づき、情報処理装置が現在接続しているアクセスポイントと一致するプリンタがアクセス可能なアクセスポイントが存在するか判定する判定ステップと、
前記判定ステップによりアクセスポイントが存在すると判定された場合、プリンタから受信したプリンタがサーチコマンドに基づきサーチしたアクセスポイントの情報に基づき、アクセスポイントにプリンタを接続させるための設定コマンドを有線インターフェースを介してプリンタに送信する第２送信ステップと、
無線ネットワークを用いてサーチされたプリンタから、有線インターフェースで情報処理装置と接続中のプリンタと一致するプリンタを特定し、特定されたプリンタを無線ネットワークで利用可能とするためのネットワーク情報の設定を行う設定ステップとを有することを特徴とする情報処理装置における設定方法。
【請求項７】
プリンタと有線インターフェースを介して接続される情報処理装置における設定方法であって、
プリンタにアクセスポイントをサーチさせるためのサーチコマンドを有線インターフェースを介してプリンタに送信する第１送信ステップと、
情報処理装置が接続しているアクセスポイントに関する情報を取得する取得ステップと、
有線インターフェースを介してプリンタから受信したプリンタがサーチコマンドに基づきサーチしたアクセスポイントの情報と前記取得ステップにより取得したアクセスポイントに関する情報とに基づき、情報処理装置が現在接続しているアクセスポイントと一致するプリンタがアクセス可能なアクセスポイントが存在するか判定する判定ステップと、
前記判定ステップにより存在すると判定された場合、プリンタから受信したプリンタがサーチコマンドに基づきサーチしたアクセスポイントの情報に基づき、アクセスポイントにプリンタを接続させるための設定コマンドを有線インターフェースを介してプリンタに送信する第２送信ステップとを有することを特徴とする情報処理装置における設定方法。
【請求項８】
前記第２送信ステップは、前記判定ステップによりアクセスポイントが存在すると判定された場合、ユーザにアクセスポイントを選択させた後、選択されたアクセスポイントにプリンタを接続させるための設定コマンドを有線インターフェースを介してプリンタに送信することを特徴とする請求項６または７記載の情報処理装置における設定方法。
【請求項９】
前記第２送信ステップは、前記判定ステップによりアクセスポイントが存在すると判定され、暗号キーを入力する必要がある場合、ユーザに暗号キーを入力させた後、アクセスポイントにプリンタを接続させるための設定コマンドを有線インターフェースを介してプリンタに送信することを特徴とする請求項６または７記載の情報処理装置における設定方法。
【請求項１０】
無線ネットワークのプリンタアイコンのみ作成するか、無線ネットワークと有線インターフェースのプリンタアイコンを作成するかを選択する選択ステップをさらに有することを特徴とする請求項６または７記載の情報処理装置における設定方法。
【請求項１１】
プリンタと有線インターフェースを介して接続されるコンピュータで実行されるプログラムであって、
プリンタにアクセスポイントをサーチさせるためのサーチコマンドを有線インターフェースを介してプリンタに送信する第１送信ステップと、
情報処理装置が接続しているアクセスポイントに関する情報を取得する取得ステップと、
有線インターフェースを介してプリンタから受信したプリンタがサーチコマンドに基づきサーチしたアクセスポイントの情報と前記取得ステップにより取得したアクセスポイントに関する情報とに基づき、情報処理装置が現在接続しているアクセスポイントと一致するプリンタがアクセス可能なアクセスポイントが存在するか判定する判定ステップと、
前記判定ステップによりアクセスポイントが存在すると判定された場合、プリンタから受信したプリンタがサーチコマンドに基づきサーチしたアクセスポイントの情報に基づき、アクセスポイントにプリンタを接続させるための設定コマンドを有線インターフェースを介してプリンタに送信する第２送信ステップと、
無線ネットワークを用いてサーチされたプリンタから、有線インターフェースで情報処理装置と接続中のプリンタと一致するプリンタを特定し、特定されたプリンタを無線ネットワークで利用可能とするためのネットワーク情報の設定を行う設定ステップとをコンピュータに実行させることを特徴とするプログラム。
【請求項１２】
プリンタと有線インターフェースを介して接続されるコンピュータで実行されるプログラムであって、
プリンタにアクセスポイントをサーチさせるためのサーチコマンドを有線インターフェースを介してプリンタに送信する第１送信ステップと、
情報処理装置が接続しているアクセスポイントに関する情報を取得する取得ステップと、
有線インターフェースを介してプリンタから受信したプリンタがサーチコマンドに基づきサーチしたアクセスポイントの情報と前記取得ステップにより取得したアクセスポイントに関する情報とに基づき、情報処理装置が現在接続しているアクセスポイントと一致するプリンタがアクセス可能なアクセスポイントが存在するか判定する判定ステップと、
前記判定ステップにより存在すると判定された場合、プリンタから受信したプリンタがサーチコマンドに基づきサーチしたアクセスポイントの情報に基づき、アクセスポイントにプリンタを接続させるための設定コマンドを有線インターフェースを介してプリンタに送信する第２送信ステップとをコンピュータに実行させることを特徴とするプログラム。
【請求項１３】
前記第２送信ステップは、前記判定ステップによりアクセスポイントが存在すると判定された場合、ユーザにアクセスポイントを選択させた後、選択されたアクセスポイントにプリンタを接続させるための設定コマンドを有線インターフェースを介してプリンタに送信することを特徴とする請求項１１または１２記載のプログラム。
【請求項１４】
前記第２送信ステップは、前記判定ステップによりアクセスポイントが存在すると判定され、暗号キーを入力する必要がある場合、ユーザに暗号キーを入力させた後、アクセスポイントにプリンタを接続させるための設定コマンドを有線インターフェースを介してプリンタに送信することを特徴とする請求項１１または１２記載のプログラム。
【請求項１５】
無線ネットワークのプリンタアイコンのみ作成するか、無線ネットワークと有線インターフェースのプリンタアイコンを作成するかを選択する選択ステップをさらに有することを特徴とする請求項１１または１２記載のプログラム。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
上記課題を解決するために本発明の情報処理装置は、
プリンタと有線インターフェースを介して接続される情報処理装置であって、
プリンタにアクセスポイントをサーチさせるためのサーチコマンドを有線インターフェースを介してプリンタに送信する第１送信手段と、
情報処理装置が接続しているアクセスポイントに関する情報を取得する取得手段と、
有線インターフェースを介してプリンタから受信したプリンタがサーチコマンドに基づきサーチしたアクセスポイントの情報と前記取得手段により取得したアクセスポイントに関する情報とに基づき、情報処理装置が現在接続しているアクセスポイントと一致するプリンタがアクセス可能なアクセスポイントが存在するか判定する判定手段と、
前記判定手段によりアクセスポイントが存在すると判定された場合、プリンタから受信したプリンタがサーチコマンドに基づきサーチしたアクセスポイントの情報に基づき、アクセスポイントにプリンタを接続させるための設定コマンドを有線インターフェースを介してプリンタに送信する第２送信手段と、
無線ネットワークを用いてサーチされたプリンタから、有線インターフェースで情報処理装置と接続中のプリンタと一致するプリンタを特定し、特定されたプリンタを無線ネットワークで利用可能とするためのネットワーク情報の設定を行う設定手段とを有することを特徴とする。
【手続補正６】
【補正対象書類名】明細書
【補正対象項目名】００１６
【補正方法】変更
【補正の内容】
【００１６】
また、本発明の情報処理装置は、
プリンタと有線インターフェースを介して接続される情報処理装置であって、
プリンタにアクセスポイントをサーチさせるためのサーチコマンドを有線インターフェースを介してプリンタに送信する第１送信手段と、
情報処理装置が接続しているアクセスポイントに関する情報を取得する取得手段と、
有線インターフェースを介してプリンタから受信したプリンタがサーチコマンドに基づきサーチしたアクセスポイントの情報と前記取得手段により取得したアクセスポイントに関する情報とに基づき、情報処理装置が現在接続しているアクセスポイントと一致するプリンタがアクセス可能なアクセスポイントが存在するか判定する判定手段と、
前記判定手段により存在すると判定された場合、プリンタから受信したプリンタがサーチコマンドに基づきサーチしたアクセスポイントの情報に基づき、アクセスポイントにプリンタを接続させるための設定コマンドを有線インターフェースを介してプリンタに送信する第２送信手段とを有することを特徴とする。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】変更
【補正の内容】
【００２１】
また、上記課題を解決するために本発明の設定方法は、
【手続補正１２】
【補正対象書類名】明細書
【補正対象項目名】００２２
【補正方法】変更
【補正の内容】
【００２２】
プリンタと有線インターフェースを介して接続される情報処理装置における設定方法であって、
プリンタにアクセスポイントをサーチさせるためのサーチコマンドを有線インターフェースを介してプリンタに送信する第１送信ステップと、
情報処理装置が接続しているアクセスポイントに関する情報を取得する取得ステップと、
有線インターフェースを介してプリンタから受信したプリンタがサーチコマンドに基づきサーチしたアクセスポイントの情報と前記取得ステップにより取得したアクセスポイントに関する情報とに基づき、情報処理装置が現在接続しているアクセスポイントと一致するプリンタがアクセス可能なアクセスポイントが存在するか判定する判定ステップと、
前記判定ステップによりアクセスポイントが存在すると判定された場合、プリンタから受信したプリンタがサーチコマンドに基づきサーチしたアクセスポイントの情報に基づき、アクセスポイントにプリンタを接続させるための設定コマンドを有線インターフェースを介してプリンタに送信する第２送信ステップと、
無線ネットワークを用いてサーチされたプリンタから、有線インターフェースで情報処理装置と接続中のプリンタと一致するプリンタを特定し、特定されたプリンタを無線ネットワークで利用可能とするためのネットワーク情報の設定を行う設定ステップとを有することを特徴とする。
【手続補正１３】
【補正対象書類名】明細書
【補正対象項目名】００２３
【補正方法】変更
【補正の内容】
【００２３】
また、本発明の設定方法は、
プリンタと有線インターフェースを介して接続される情報処理装置における設定方法であって、
プリンタにアクセスポイントをサーチさせるためのサーチコマンドを有線インターフェースを介してプリンタに送信する第１送信ステップと、
情報処理装置が接続しているアクセスポイントに関する情報を取得する取得ステップと、
有線インターフェースを介してプリンタから受信したプリンタがサーチコマンドに基づきサーチしたアクセスポイントの情報と前記取得ステップにより取得したアクセスポイントに関する情報とに基づき、情報処理装置が現在接続しているアクセスポイントと一致するプリンタがアクセス可能なアクセスポイントが存在するか判定する判定ステップと、
前記判定ステップにより存在すると判定された場合、プリンタから受信したプリンタがサーチコマンドに基づきサーチしたアクセスポイントの情報に基づき、アクセスポイントにプリンタを接続させるための設定コマンドを有線インターフェースを介してプリンタに送信する第２送信ステップとを有することを特徴とする。